(57)【要約】【課題】有彩色の境界に発生するギザを低減することができ、また、解像度の向上を図ることができる固定撮像装置を提供する。【解決手段】固体撮像素子２のＲ画素、Ｇ画素、Ｂ画素のそれぞれの色信号のうち、Ｇ画素の信号（Ｇ信号）から輪郭強調信号を生成するＧ信号輪郭強調信号生成回路１４と、すべての色信号から輪郭強調信号を生成する全信号輪郭強調信号生成回路１５と、Ｇ信号輪郭強調信号生成回路１４の出力信号と全信号輪郭強調信号生成回路１５の出力信号との合成比を、すべての色信号の出力結果により決定して合成する輪郭強調信号合成回路１６とを有し、輪郭強調信号合成回路１６で合成した信号を輪郭強調信号として固体撮像素子２からの輝度信号に加算する輪郭強調装置を備える構成とする。【選択図】　図１
2004112024.tif 000002
【特許請求の範囲】
【請求項１】
Ｒ（赤）、Ｇ（緑）、Ｂ（青）のそれぞれの色フィルタを市松模様状に配した固体撮像装置において、固体撮像素子のＲ画素、Ｇ画素、Ｂ画素のそれぞれの色信号のうち、Ｇ画素の信号（Ｇ信号）から輪郭強調信号を生成するＧ信号輪郭強調信号生成回路と、すべての前記色信号から輪郭強調信号を生成する全信号輪郭強調信号生成回路と、前記Ｇ信号輪郭強調信号生成回路の出力信号と前記全信号輪郭強調信号生成回路の出力信号との合成比を、すべての前記色信号の出力結果により決定して合成する輪郭強調信号合成回路とを有し、前記輪郭強調信号合成回路で合成した信号を輪郭強調信号として前記固体撮像素子からの輝度信号に加算する輪郭強調装置を備えることを特徴とする固体撮像装置。
【請求項２】
前記Ｇ信号輪郭強調信号生成回路は、前記Ｇ信号から水平の輪郭強調信号を生成する水平輪郭強調信号生成回路と、前記水平輪郭強調信号生成回路の前段に設けられた垂直方向のローパスフィルタと、前記Ｇ信号から垂直の輪郭強調信号を生成する垂直輪郭強調信号生成回路と、前記垂直輪郭強調信号生成回路の後段に設けられた水平方向のローパスフィルタとを備えることを特徴とする請求項１記載の固体撮像装置。
【請求項３】
前記垂直方向のローパスフィルタおよび前記水平方向のローパスフィルタは、水平輪郭強調および垂直輪郭強調に適用するかしないかをそれぞれ独立に決定できることを特徴とする請求項２記載の固体撮像装置。
【請求項４】
前記輪郭強調信号合成回路は、前記Ｇ信号輪郭強調信号生成回路の出力信号と前記全信号輪郭強調信号生成回路の出力信号との合成比を、前記Ｒ画素の色信号（Ｒ信号）と前記Ｇ信号とのレベル差及び前記Ｂ画素の信号（Ｂ信号）と前記Ｇ信号とのレベル差により決定することを特徴とする請求項１記載の固体撮像装置。
【発明の詳細な説明】
【０００１】
【発明の属する技術分野】
本発明は、ＣＭＯＳ等の固体撮像素子からの読み出し信号に対して輪郭強調処理を施す固体撮像装置に関するものである。
【０００２】
【従来の技術】
従来の輪郭強調装置は、例えば特許文献１の「固体撮像装置」に開示されている。以下に従来の輪郭強調装置について説明する。図１１は従来の輪郭強調装置の構成を示すもので、レンズ２０、固体撮像素子２１、ＣＤＳ回路２２、ＡＧＣ回路２３、ホワイトバランス回路２４、輝度信号合成回路２５、原信号アパコン回路２６、色信号比検出回路２７、色信号合成回路２８、輝度信号アパコン回路２９、遅延回路３０、可変利得増幅回路３１１，３１２、加算回路３２１，３２２からなる。Ｒ画素、Ｇ画素、Ｂ画素の信号から輪郭強調信号を形成する原信号アパコン回路２６と、Ｒ画素、Ｇ画素、Ｂ画素の信号より合成した輝度信号から輪郭強調信号を形成する輝度信号アパコン回路２９を有し、色信号比検出回路２７の検出出力に応じて、原信号アパコン回路の出力信号および輝度信号アパコン回路の出力信号にそれぞれ重み付けをし、この後、この重み付けされたそれぞれの信号を加算して輪郭強調信号を得ている。
【０００３】
【特許文献１】
特開平１０−２３４３７号公報
【０００４】
【発明が解決しようとする課題】
しかしながら、上記公報に見られるような従来の輪郭強調装置では、単板カラーカメラに用いられる市松模様状に配置された色フィルタを用いた場合、有彩色の境界に対しては輝度信号に重みをおいた輪郭強調信号の生成をおこなっているため、有彩色の境界でギザが発生し画質の低下の原因となっていた。
【０００５】
本発明は、有彩色の境界に発生するギザを低減することができ、また、解像度の向上を図ることができる固定撮像装置を提供することを目的とする。
【０００６】
【課題を解決するための手段】
本発明の固体撮像装置は、固体撮像素子のＲ画素、Ｇ画素、Ｂ画素のそれぞれの色信号のうち、Ｇ画素の信号（Ｇ信号）から輪郭強調信号を生成するＧ信号輪郭強調信号生成回路と、すべての色信号から輪郭強調信号を生成する全信号輪郭強調信号生成回路と、Ｇ信号輪郭強調信号生成回路の出力信号と全信号輪郭強調信号生成回路の出力信号との合成比を、すべての色信号の出力結果により決定して合成する輪郭強調信号合成回路とを有し、輪郭強調信号合成回路で合成した信号を輪郭強調信号として固体撮像素子からの輝度信号に加算する輪郭強調装置を備える構成を有している。
この構成により、市松模様上に配置された色フィルタを配した固体撮像装置において輪郭強調信号を生成することができる。
【０００７】
また、本発明の固体撮像装置は、Ｇ信号輪郭強調信号生成回路が、Ｇ信号から水平の輪郭強調信号を生成する水平輪郭強調信号生成回路と、水平輪郭強調信号生成回路の前段に設けられた垂直方向のローパスフィルタと、Ｇ信号から垂直の輪郭強調信号を生成する垂直輪郭強調信号生成回路と、垂直輪郭強調信号生成回路の後段に設けられた水平方向のローパスフィルタとを備える構成を有している。
この構成により、ギザが目立ちやすい被写体の斜めエッジに対してのみ輪郭強調信号の平滑化を行うことができるため、解像度の低下を最小限に抑えつつギザを低減することができる。
【０００８】
さらに、本発明の固体撮像装置は、垂直方向のローパスフィルタおよび水平方向のローパスフィルタが、水平輪郭強調および垂直輪郭強調に適用するかしないかをそれぞれ独立に決定できる構成を有している。
この構成により、本発明の輪郭強調装置を備えた固体撮像装置の使用用途等により被写体の斜めエッジに発生するギザの低減を優先するか被写体の解像度を優先するかを容易に選択することができる。
【０００９】
さらに、本発明の固体撮像装置は、輪郭強調信号合成回路が、Ｇ信号輪郭強調信号生成回路の出力信号と全信号輪郭強調信号生成回路の出力信号との合成比を、Ｒ画素の色信号（Ｒ信号）とＧ信号とのレベル差及びＢ画素の信号（Ｂ信号）とＧ信号とのレベル差により決定する構成を有している。
この構成により、色分離した後のＲ信号とＧ信号とのレベル差及びＢ信号とＧ信号とのレベル差を有彩色及び無彩色判定に用いるため、有彩色、無彩色の判定を精度良く行うことができる。
【００１０】
【発明の実施の形態】
以下、本発明の実施の形態について、図面を用いて説明する。
図１は本発明の実施の形態に係る輪郭強調装置を備えた固体撮像装置の構成図である。この固体撮像装置は、レンズ１を介して映像を取り込む固体撮像素子２と、固体撮像素子２からの出力信号に対して黒レベルを調整するＯＢ補正回路（ＯＢ）３と、ＯＢ補正回路３の出力信号に対してレンズの周辺光量落ち補正を行うシェーディング補正回路（ｓｈａｄ）４と、シェーディング補正回路４の出力信号に対してホワイトバランスを調整するホワイトバランス回路（ＷＢ）５と、ホワイトバランス回路５の出力信号に対して自動利得制御を行うＡＧＣ回路（ＡＧＣ）６と、ＡＧＣ回路６の出力信号に対してガンマ補正を行うガンマ補正回路（γ）７と、ガンマ補正回路７の出力信号に対して水平方向の逆読み出しをするかしないかを制御する左右反転回路８と左右反転回路８の出力信号を１Ｈから３Ｈまで遅延する第１〜第３の１Ｈ遅延回路（１ＨＲＡＭ）９１〜９３と、左右反転回路８の出力信号および１Ｈ遅延回路９１〜９３の出力信号を用いて欠陥画素の補正を行う欠陥画素補正回路１０を備えている。図２に示すような色フィルタ配列を持つ固体撮像素子を想定した場合、図１のａ信号、ｂ信号、ｃ信号、ｄ信号は図３に示すような信号になる。
【００１１】
さらに、欠陥画素補正回路１０の出力信号を用いて輝度信号を生成する輝度信号生成回路１１と、輝度信号生成回路の出力信号の遅延調整を行う遅延調整回路（ｄｅｌａｙ）１２を備え、また、欠陥画素補正回路１０の出力信号のＧ画素のみをサンプリングするＧ画素サンプル・ホールド回路（Ｇ　Ｓ／Ｈ）１３と、Ｇ画素サンプル・ホールド回路１３の出力信号の上下２ラインを加算する加算回路２０２〜２０３と加算回路２０２〜２０３の出力信号から輪郭強調信号を生成するＧ信号輪郭強調信号生成回路１４備え、また、欠陥画素補正回路１０の出力信号のＲ画素、Ｇ画素、Ｂ画素の３種類の画素のすべての信号を用いて輪郭強調信号を生成する全信号輪郭強調生成回路１５と、Ｇ信号輪郭強調信号生成回路１４および全信号輪郭強調生成回路１５から出力されるそれぞれの輪郭強調信号を合成する輪郭強調信号合成回路１６、遅延調整回路１２の出力信号と輪郭強調信号合成回路１６の出力信号とを加算する加算回路２０１を備えている。具体的には、欠陥画素補正回路１０から出力される信号（図１のｂ信号、ｃ信号）は輝度信号生成回路１１に入力され、輝度信号生成回路１１において、
輝度信号Ｙ´＝（Ｒ＋２Ｇ＋Ｂ）／４
が計算され、ゲイン調整、オフセット調整等の処理が施された後出力される。輝度信号Ｙ´は遅延調整回路１２により色差信号とのタイミング調整が施され、加算回路２０１により輪郭強調信号と加算されて最終的な輝度信号Ｙとして出力される。
【００１２】
また、欠陥画素補正回路１０の出力信号を用いて色分離を行う色分離回路１７と色分離回路１７の出力信号から色差信号を生成する色差信号生成回路１８と色差信号生成回路１８の出力信号の多重化を行う色差信号多重化回路１９を備えている。具体的には、欠陥画素補正回路１０の出力である図１のａ信号、ｂ信号、ｃ信号、ｄ信号は、色分離回路１７に入力される。色分離回路１７では、ａ信号、ｂ信号、ｃ信号、ｄ信号の４ラインの信号から、Ｒ画素からの信号（Ｒ信号）とＧ画素からの信号（Ｇ信号）とのレベル差（Ｒ−Ｇ）、Ｂ画素からの信号（Ｂ信号）とＧ画素からの信号（Ｇ信号）とのレベル差（Ｂ−Ｇ）を計算し出力する。
色差信号生成回路１８では、入力されたＲ−Ｇ、Ｂ−Ｇから、
Ｕ＝（Ｂ−Ｇ）−α（Ｒ−Ｇ）
Ｖ＝（Ｒ−Ｇ）−β（Ｂ−Ｇ）
に従いＵ、Ｖに変換され出力される。
さらに、色差信号生成回路１８によって出力された２つの信号Ｕ、Ｖは色差信号多重化回路１９により多重化されＵ、Ｖ、Ｕ、Ｖ・・・と交互に出力される。
【００１３】
次に本発明における輪郭強調装置について説明する。
欠陥画素補正回路１０の出力である図１のａ信号、ｂ信号、ｃ信号、ｄ信号は、Ｇ画素サンプル・ホールド回路１３に入力される。図４にＧ画素サンプル・ホールド回路の動作の様子を示す。図４に示されるＦＨ２は１ラインご毎に”１”、”０”を繰り返す信号であり、ＣＫ２は１画素毎に”１”、”０”を繰り返す信号である。また、ＣＫ２はＦＨ２の極性により正転、反転を繰り返す。すなわちＣＫ２は、図３のａ信号、ｂ信号、ｃ信号、ｄ信号の信号においてＧ画素のタイミングで必ず”１”となる様な信号である。Ｇ画素サンプル・ホールド回路１３では、ＣＫ２に従い、ＣＫ２が”１”の時には画素のサンプリングを行い、”０”の時には画素のホールドを行う（図４（ａ））。その結果、Ｇ画素サンプル・ホールド回路１３の出力は図４（ｂ）のｅ信号、ｆ信号、ｇ信号、ｈ信号となる。ここで、ｅ信号、ｆ信号、ｇ信号、ｈ信号はそれぞれａ信号、ｂ信号、ｃ信号、ｄ信号に対応した出力である。このようにして、Ｇ、Ｂ、Ｇ、Ｂ・・・（またはＲ、Ｇ、Ｒ、Ｇ・・・）と交互に入力される信号からＧのみを抽出することができる。
【００１４】
Ｇ画素サンプル・ホールド回路１３の出力ｅ信号、ｆ信号、ｇ信号、ｈ信号は図４（ｃ）に示すように第２〜第４の加算器２０２〜２０４によって上下ラインの加算が行われる。第２〜第４の加算器２０２〜２０４の出力信号ｉ信号、ｊ信号、ｋ信号はＧ信号輪郭強調信号生成回路１４に入力される。図５にＧ信号輪郭強調信号生成回路の詳細を示す。垂直ローパスフィルタ（以下、垂直ＬＰＦ）１４１は３タップで構成されており、水平輪郭強調信号による斜めエッジのギザを低減する作用がある。この垂直ＬＰＦ１４１を適用するかしないかはセレクタ１４９で選択可能だが、適用した方が斜めエッジのギザをより低減できる。水平輪郭強調信号生成回路１４２は水平方向の輪郭強調信号を生成するフィルタで３タップで構成されている。垂直輪郭強調信号生成回路１４３は垂直方向の輪郭強調信号を生成するフィルタで３タップで構成されている。
【００１５】
水平ローパスフィルタ（以下、水平ＬＰＦ）１４４および水平ＬＰＦ１４５はいずれも３タップで構成されており、垂直輪郭強調信号による斜めエッジのギザを低減する効果がある。この水平ＬＰＦ１４４、水平ＬＰＦ１４５を輪郭強調信号に適用するかしないかはセレクタ１４１０で選択可能だが、水平ＬＰＦ１４４、水平ＬＰＦ１４５の両方のフィルタを適用した場合が最もギザを低減できる。上記フィルタにより生成された水平輪郭強調信号および垂直輪郭強調信号はコアリング回路１４１１、１４１２でノイズの除去、乗算回路１４１３、１４１４でゲイン調整が施され、加算回路１４１５で水平輪郭強調信号と垂直輪郭強調信号が加算された後出力される。
【００１６】
図６は被写体として斜めエッジが入力された場合の各フィルタにおける輪郭強調信号の生成の様子を示した説明図である。図６において、フィルタ係数ＦＩＬ１は、図５の垂直ＬＰＦ１４３及び水平ＬＰＦ１４４、水平ＬＰＦ１４５を全て通さなかった場合のフィルタ係数で、図７（ａ）のように計算されることで導かれる。また、フィルタ係数ＦＩＬ２は、垂直ＬＰＦ１４３、水平ＬＰＦ１４４を通した場合のフィルタ係数で、図７（ｂ）のように計算されることで導かれる。また、フィルタ係数ＦＩＬ３は、垂直ＬＰＦ１４３、水平ＬＰＦ１４４、水平ＬＰＦ１４５を全て通した場合のフィルタ係数で、図７（ｃ）のように計算されることで導かれる。ここで、図７にある２つのフィルタ係数の加算は、同一行、同一列にあるフィルタ係数を足し合わせることでそれぞれ行う。例えば図７（ａ）において、フィルタＦＩＴ１の２行２列のフィルタ係数は、２＋２＝４となる。また、２つにフィルタ係数の乗算は、一般的な行列計算と同様に、それぞれのフィルタ係数の行と列とを乗算、加算することで求めていく。
【００１７】
図６の輪郭強調信号ＡＰ１，ＡＰ２，ＡＰ３は、エリアＡにおいてフィルタ係数ＦＩＬ１，ＦＩＬ２，ＦＩＬ３をそれぞれ通した時の輪郭強調信号の値を示した図である。図６のエリアＡにおいてフィルタ係数ＦＩＬ１，ＦＩＬ２，ＦＩＬ３を通すとは、エリアＡのそれぞれの画素に対して各フィルターの係数を乗算、加算していくことである。例えば、図６のエリアＡの右上角の画素に対してフィルタ係数ＦＩＬ１を通した場合、その計算式は、輪郭強調信号ＡＰ１の右上角の画素値＝４×１＋０×０＋（−１）×１＋０×１＋（−１）×１＋（−１）×１＋０×１＋（−１）×１＋０×１＝０となる。エリアＡ内のその他の画素についても同様の計算を行い輪郭強調信号ＡＰ１，ＡＰ２，ＡＰ３を算出している。図６に示すように、輪郭強調信号ＡＰ１では被写体の斜めエッジ部の輪郭強調信号の振幅が大きく変化の度合いも大きいのに対し、垂直ＬＰＦ１４３、水平ＬＰＦ１４４、水平ＬＰＦ１４５の全てを通した時の輪郭強調信号ＡＰ３は輪郭強調信号の振幅、変化の度合い共に輪郭強調信号ＡＰ１に比べ小さく、その結果、斜めエッジに発生するギザを低減できることがわかる。
【００１８】
図８は、被写体として垂直エッジが入力された場合の各フィルタにおける輪郭強調信号の生成の様子を示した説明図である。図８において、輪郭強調信号ＡＰ４，ＡＰ５，ＡＰ６はエリアＡにおいてファイル係数ＦＩＬ１，ＦＩＬ２，ＦＩＬ３をそれぞれ通した時の輪郭強調信号の値を示した図である。図８に示すように、ファイル係数ＦＩＬ１，ＦＩＬ２，ＦＩＬ３いずれを通した場合にも垂直エッジに対しては輪郭強調信号の振幅および変化の度合いが変わらないことがわかる。また、図９は、被写体として水平エッジが入力された場合の各フィルタにおける輪郭強調信号の生成の様子を示した説明図である。図９において、輪郭強調信号ＡＰ４，ＡＰ５，ＡＰ６は、エリアＡにおいてフィルタ係数ＦＩＬ１，ＦＩＬ２，ＦＩＬ３をそれぞれ通した時の輪郭強調信号の値を示した図である。図９に示すように、フィルタ係数ＦＩＬ１，ＦＩＬ２，ＦＩＬ３いずれを通した場合にも水平エッジに対しても垂直エッジの時と同じ原理で、輪郭強調信号の振幅および変化の度合いが変わらないことがわかる。以上のことから、図４における垂直ＬＰＦ１４１および水平ＬＰＦ１４４、水平ＬＰＦ１４５はギザが目立ちやすい被写体の斜めエッジに対してのみ輪郭強調信号の平滑化を行う効果があり、これらのＬＰＦにより、解像度の低下を最小限に抑えつつギザを低減することができる。
【００１９】
また、欠陥画素補正回路１０の出力である図１のｂ信号、ｃ信号は、全信号輪郭強調信号生成回路１５に入力される。図１０は、全信号輪郭強調信号生成回路の詳細を示した図である。水平ハイパスフィルタ（以下、水平ＨＰＦ）１５１，１５２は、２タップで構成されている。水平輪郭強調信号は、ｂ信号、ｃ信号にそれぞれ水平ＨＰＦ１５１、１５２を通した後、加算回路１５４により２ラインの信号を加算することにより生成される。垂直ハイパスフィルタ（以下、垂直ＨＰＦ）１５３は、２タップで構成されている。垂直輪郭強調信号は、信号ｂ、信号ｃを入力として垂直ＨＰＦ１５３を通した後、垂直ＨＰＦ１５３を通した後の信号及び垂直ＨＰＦ１５３を通した後の信号を１Ｔ遅延回路１５１３で１Ｔ遅延させた信号を加算回路１５５で加算することにより生成される。上記、水平輪郭強調信号および垂直輪郭強調信号はそれぞれ、コアリング回路１５８、１５９でノイズの除去、乗算回路１５１０、１５１１でゲイン調整が施され、加算回路１５１２で水平輪郭強調信号と垂直輪郭強調信号が加算された後出力される。
【００２０】
上記、Ｇ信号輪郭強調生成回路１４の出力信号（図１のｌ信号）および全信号輪郭強調生成回路１５の出力信号（図１のｍ信号）は輪郭強調信号合成回路１６に入力される。輪郭強調信号合成回路１６では、色分離回路１７の出力であるＲ信号とＧ信号とのレベル差（Ｒ−Ｇ）、Ｂ信号とＧ信号とのレベル差（Ｂ−Ｇ）をもとに、被写体が有彩色であるか無彩色であるかの判定を行い、この判定結果に基づきＧ信号輪郭強調生成回路１４の出力のｌ信号と全信号輪郭強調生成回路１５の出力のｍ信号の合成比を決定する。Ｇ信号輪郭強調生成回路１４の出力のｌ信号と全信号輪郭強調生成回路１５の出力のｍ信号の合成式は、例えば以下のように表すことができる。
輪郭強調信号＝ｋ×｛Ｇ信号輪郭強調生成回路の出力のｌ信号｝＋（１−ｋ）×｛全信号輪郭強調生成回路の出力のｍ信号｝
【００２１】
ここで、ｋ信号は、Ｒ信号とＧ信号とのレベル差（Ｒ−Ｇ）、Ｂ信号とＧ信号とのレベル差（Ｂ−Ｇ）により計算された値で、０＜＝ｋ＜＝１の間で変化する係数であり、被写体が完全な無彩色と判定されたときにはｋ＝０、完全な有彩色と判定されたときにはｋ＝１となるような係数である。上記の計算式によると、例えば被写体が完全な無彩色と判定された場合、
輪郭強調信号＝全信号輪郭強調生成回路の出力のｍ信号
となり、被写体が完全な有彩色と判定された場合、
輪郭強調信号＝Ｇ信号輪郭強調生成回路の出力のｌ信号
となる。すなわち、上記式は、被写体の色成分の比率によりＧ信号から生成した輪郭強調信号と全ての信号から生成した輪郭強調信号とをその重みを変化させて合成するものである。これにより、有彩色のエッジのギザを低減するのに有効なＧ信号からの輪郭強調生成と無彩色のエッジのギザを低減するのに有効な全ての信号からの輪郭強調生成を被写体の色成分の比率によって滑らかに切り替えることができる。また、無彩色の被写体に対しては原信号からの輪郭強調生成に重みを置くため、無彩色の被写体の解像度を向上することができる。さらに、Ｒ信号とＧ信号とのレベル差（Ｒ−Ｇ）、Ｂ信号とＧ信号とのレベル差（Ｂ−Ｇ）は、色分離回路１７により生成された信号であるため、有彩色、無彩色の判定を精度良く行うことができる。
【００２２】
【発明の効果】
以上により、本発明によれば、輪郭強調信号合成回路で合成した信号を輪郭強調信号として固体撮像素子からの輝度信号に加算する輪郭強調装置を備えることで、市松模様状に配置された画素フィルタを用いた場合に、有彩色の境界に発生するギザを低減することができ、解像度の向上を図ることができる固体撮像装置を提供することができるものである。
【図面の簡単な説明】
【図１】本発明の実施の形態における、輪郭強調装置を備えた固体撮像装置の構成図
【図２】本発明の実施の形態における、固体撮像素子の色フィルタ配列の例を示す説明図
【図３】本発明の実施の形態における、固体撮像素子の出力信号を示す説明図
【図４】Ｇ画素サンプル・ホールド回路のタイミング図
【図５】Ｇ画素輪郭強調信号生成回路の構成図
【図６】Ｇ画素輪郭強調信号生成回路のフィルタ係数と斜めエッジを持つ被写体に対する輪郭強調信号の生成の様子を示した説明図
【図７】フィルタ係数の計算方法を示した説明図
【図８】Ｇ画素輪郭強調信号生成回路のフィルタ係数と垂直エッジを持つ被写体に対する輪郭強調信号の生成の様子を示した説明図
【図９】被写体として水平エッジが入力された場合の各フィルタにおける輪郭強調信号の生成の様子を示した説明図
【図１０】全信号輪郭強調信号生成回路の構成図
【図１１】従来の輪郭強調装置を備えた固体撮像装置の構成図
【符号の説明】
１　レンズ
２　固体撮像素子
３　ＯＢ補正回路
４　シェーディング補正回路
５　ホワイトバランス回路
６　ＡＧＣ回路
７　ガンマ補正回路
８　信号左右反転回路
９１、９２、９３　１Ｈ遅延回路
１０　欠陥画素補正回路
１１　輝度信号生成回路
１２　遅延調整回路
１３　Ｇ画素サンプル／ホールド回路
１４　Ｇ信号輪郭強調信号生成回路
１４１、１４４、１４５　ＬＰＦ
１４２　水平輪郭強調信号生成回路
１４３　垂直輪郭強調信号生成回路
１４６、１４７、１４８　ビットシフト回路
１４９、１４１０　セレクタ回路
１４１１、１４１２　コアリング回路
１４１３，１４１４　乗算回路
１４１５　加算回路
１５　全信号輪郭強調生成回路
１５１、１５２、１５３　ＨＰＦ
１５４、１５５　加算回路
１５６、１５７　ビットシフト回路
１５８、１５９　コアリング回路
１５１０、１５１１　乗算回路
１５１２　加算回路
１５１３　１Ｔ遅延回路
１６　輪郭強調信号合成回路
１７　色分離回路
１８　色差信号生成回路
１９　色差信号多重化回路
２０１、２０２、２０３、２０４　加算回路
【図１】
2004112024.tif 000003
【図２】
2004112024.tif 000004
【図３】
2004112024.tif 000005
【図４】
2004112024.tif 000006
【図５】
2004112024.tif 000007
【図６】
2004112024.tif 000008
【図７】
2004112024.tif 000009
【図８】
2004112024.tif 000010
【図９】
2004112024.tif 000011
【図１０】
2004112024.tif 000012
【図１１】
2004112024.tif 000013